(57)【要約】【課題】カメラを動かしても、常にピントを合わせた部分を確認することのできる撮像装置を提供する。【解決手段】被写体を撮像するＣＣＤ２３と、このＣＣＤ２３によって得られる被写体の画像データをスルー画像として表示する表示部１９とを備えた撮像装置において、制御部３２はシャッタキーが半押し操作されたときに合焦処理を行い、スルー画像の中のピントを合わせた部分にフォーカス枠を表示する。ここで、ユーザが装置本体を任意の方向に移動させると、そのときの移動距離が移動検出部４２にて検出される。制御部３２はこのときの移動距離に基づいてフォーカス枠を装置本体の移動方向とは逆の方向に移動させてスルー画像の中のピントを合わせた部分に位置決めする。これにより、常にピントを合わせた部分にフォーカス枠に表示され、どこにピントが合っているのかを確認することができる。【選択図】      図２
2006094200.tif 000002
【特許請求の範囲】
【請求項１】
被写体を撮像する撮像手段と、
この撮像手段によって得られる被写体の画像データをスルー画像として表示する表示手段と、
この表示手段によって表示されたスルー画像に対する合焦処理を行い、この合焦処理によってピントを合わせた部分にフォーカス枠を表示する合焦処理手段と、
装置本体を任意の方向に移動させたときの移動距離を検出する移動検出手段と、
この移動検出手段によって検出された移動距離に基づいて、前記合焦処理手段によって表示されたフォーカス枠を前記装置本体の移動方向とは逆の方向に移動させて前記スルー画像の中のピントを合わせた部分に位置決めする制御手段と
を具備したことを特徴とする撮像装置。
【請求項２】
前記スルー画像からピントが合っている部分の色を検出する色検出手段と、
この色検出手段によって検出された色を所定の形式で表示する色表示手段と
を具備したことを特徴とする請求項１記載の撮像装置。
【請求項３】
前記スルー画像からピントが合っている部分の画像を抽出する画像抽出手段と、
この画像抽出手段によって抽出された画像を所定の形式で表示する画像表示手段と
を具備したことを特徴とする請求項１記載の撮像装置。
【請求項４】
被写体を撮像する撮像素子と、この撮像素子によって得られる被写体の画像データをスルー画像として表示する表示部とを備えた撮像装置に用いられる合焦表示方法であって、
前記表示部に表示されたスルー画像に対する合焦処理を行い、この合焦処理によってピントを合わせた部分にフォーカス枠を表示するステップと、
装置本体を任意の方向に移動させたときの移動距離を検出するステップと、
前記装置本体の移動距離に基づいて前記フォーカス枠を前記装置本体の移動方向とは逆の方向に移動させて前記スルー画像の中のピントを合わせた部分に位置決めするステップと
を備えたことを特徴とする合焦表示方法。
【請求項５】
被写体を撮像する撮像素子と、この撮像素子によって得られる被写体の画像データをスルー画像として表示する表示部とを備えた撮像装置を制御するコンピュータによって実行されるプログラムであって、
前記コンピュータに、
前記表示部に表示されたスルー画像に対する合焦処理を行い、この合焦処理によってピントを合わせた部分にフォーカス枠を表示する機能と、
装置本体を任意の方向に移動させたときの移動距離を検出する機能と、
前記装置本体の移動距離に基づいて前記フォーカス枠を前記装置本体の移動方向とは逆の方向に移動させて前記スルー画像の中のピントを合わせた部分に位置決めする機能と
を実現させることを特徴とするプログラム。
【発明の詳細な説明】
【技術分野】
【０００１】
本発明は、例えばデジタルカメラなどの撮像装置に係り、特にＡＦ（ａｕｔｏｍａｔｉｃ  ｆｏｃｕｓｉｎｇ）機能を備えた撮像装置と、この撮像装置に用いられる合焦表示方法及びプログラムに関する。
【背景技術】
【０００２】
例えば、デジタルカメラなどの撮像装置では、被写体に自動的にピントを合わせるＡＦ機能（自動合焦機能）を備えるものがある。このＡＦ機能は、シャッタキーを半押し操作することで動作し、フォーカスレンズを移動させて、例えば画面の中央部分にピントを合わせる。その際、画面中央にフォーカス枠を表示して、ピントを合わせた部分をユーザに知らしめることが一般的に行われている（例えば、特許文献１参照）。
【特許文献１】特開２０００−９２３５４号公報
【発明の開示】
【発明が解決しようとする課題】
【０００３】
上述したように、ＡＦ機能では基本的に画面の中央にピントを合わせている。しかし、撮りたい被写体が常に画面中央に位置しているとは限らないため、通常、シャッタキーを半押した状態（フォーカスロックした状態）でカメラを移動させて撮影範囲（構図）を変更するような操作が行なわれる。
【０００４】
ところが、カメラを移動させて構図を変更しても、フォーカス枠はそのまま画面中央に固定表示されている。このため、ユーザは被写体のどの部分にピントを合わせていたのかがわからなくなり、その結果、シャッタータイミングを誤るなどして意図した画像が得られないことがある。
【０００５】
本発明は前記のような点に鑑みなされたもので、カメラを動かしても、常にピントを合わせた部分を確認することのできる撮像装置、合焦表示方法及びプログラムを提供することを目的とする。
【課題を解決するための手段】
【０００６】
本発明の請求項１に係る撮像装置は、被写体を撮像する撮像手段と、この撮像手段によって得られる被写体の画像データをスルー画像として表示する表示手段と、この表示手段によって表示されたスルー画像に対する合焦処理を行い、この合焦処理によってピントを合わせた部分にフォーカス枠を表示する合焦処理手段と、装置本体を任意の方向に移動させたときの移動距離を検出する移動検出手段と、この移動検出手段によって検出された移動距離に基づいて、前記合焦処理手段によって表示されたフォーカス枠を前記装置本体の移動方向とは逆の方向に移動させて前記スルー画像の中のピントを合わせた部分に位置決めする制御手段とを具備して構成される。
【０００７】
このような構成によれば、合焦処理によりピントを合わせた部分にフォーカス枠が表示される。ここで、構図を変更するべく、装置本体を任意の方向に移動させると、そのときの動きに合わせてフォーカス枠も移動し、当該スルー画像の中のピントを合わせた部分に位置決めされる。これにより、ユーザは常にピントを合わせた部分を把握して撮影を行うことができる。
【０００８】
また、本発明の請求項２は、前記請求項１記載の撮像装置において、前記スルー画像からピントが合っている部分の色を検出する色検出手段と、この色検出手段によって検出された色を所定の形式で表示する色表示手段とを具備したことを特徴とする。
【０００９】
このような構成によれば、ピントが合っている部分の色が検出され、例えばウインドウ形式で表示されるので、その表示された色からどこにピントが合っているのかをより正確に把握することができる。
【００１０】
また、本発明の請求項３は、前記請求項１記載の撮像装置において、前記スルー画像からピントが合っている部分の画像を抽出する画像抽出手段と、この画像抽出手段によって抽出された画像を所定の形式で表示する画像表示手段とを具備したことを特徴とする。
【００１１】
このような構成によれば、ピントが合っている部分の画像が抽出され、例えばウインドウ形式で表示されるので、その表示された画像からどこにピントが合っているのかをより正確に把握することができる。
【００１２】
本発明の請求項４に係る合焦表示方法は、被写体を撮像する撮像素子と、この撮像素子によって得られる被写体の画像データをスルー画像として表示する表示部とを備えた撮像装置に用いられる合焦表示方法であって、前記表示部に表示されたスルー画像に対する合焦処理を行い、この合焦処理によってピントを合わせた部分にフォーカス枠を表示するステップと、装置本体を任意の方向に移動させたときの移動距離を検出するステップと、前記装置本体の移動距離に基づいて前記フォーカス枠を前記装置本体の移動方向とは逆の方向に移動させて前記スルー画像の中のピントを合わせた部分に位置決めするステップとを備えたことを特徴とする。
【００１３】
このような合焦表示方法によれば、前記各ステップに従った処理を実行することにより、前記請求項１記載の発明と同様の作用効果が奏せられる。
【００１４】
本発明の請求項５に係るプログラムは、被写体を撮像する撮像素子と、この撮像素子によって得られる被写体の画像データをスルー画像として表示する表示部とを備えた撮像装置を制御するコンピュータによって実行されるプログラムであって、前記コンピュータに、前記表示部に表示されたスルー画像に対する合焦処理を行い、この合焦処理によってピントを合わせた部分にフォーカス枠を表示する機能と、装置本体を任意の方向に移動させたときの移動距離を検出する機能と、前記装置本体の移動距離に基づいて前記フォーカス枠を前記装置本体の移動方向とは逆の方向に移動させて前記スルー画像の中のピントを合わせた部分に位置決めする機能とを実現させることを特徴とする。
【００１５】
したがって、コンピュータが前記各機能を実現するためのプログラムを実行することにより、前記請求項１記載の発明と同様の作用効果が奏せられる。
【発明の効果】
【００１６】
本発明によれば、装置本体を任意の方向に移動させた場合に、そのときの動きに合わせてフォーカス枠も移動し、当該スルー画像の中のピントを合わせた部分に位置決めされるため、常にピントを合わせた部分を把握して撮影を行うことができる。
【発明を実施するための最良の形態】
【００１７】
以下、図面を参照して本発明の実施形態を説明する。
【００１８】
図１は本発明の一実施形態に係る撮像装置としてデジタルカメラを例にした場合の外観構成を示す図であり、図１（ａ）は主に前面の構成、同図（ｂ）は主に背面の構成を示す斜視図である。
【００１９】
このデジタルカメラ１は、略矩形の薄板状ボディ２の前面に、撮影レンズ３、セルフタイマランプ４、光学ファインダ窓５、ストロボ発光部６、マイクロホン部７などを有し、上面の（ユーザにとって）右端側には電源キー８及びシャッタキー９などが設けられている。
【００２０】
電源キー８は、電源のオン／オフ毎に操作するキーであり、シャッタキー９は、撮影時に撮影タイミングを指示するキーである。
【００２１】
また、デジタルカメラ１の背面には、撮影モード（Ｒ）キー１０、再生モード（Ｐ）キー１１、光学ファインダ１２、スピーカ部１３、マクロキー１４、ストロボキー１５、メニュー（ＭＥＮＵ）キー１６、リングキー１７、セット（ＳＥＴ）キー１８、表示部１９などが設けられている。
【００２２】
撮影モードキー１０は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。また、動画モードは、動画を撮影するためのモードである。
【００２３】
前記シャッタキー９は、これらの撮影モードに共通に使用される。すなわち、静止画モードでは、シャッタキー９が押下されたときのタイミングで静止画の撮影が行われる。動画モードでは、シャッタキー９が押下されたときのタイミングで動画の撮影が開始され、シャッタキー９が再度押下されたときにその動画の撮影が終了する。
【００２４】
再生モードキー１１は、電源オフの状態から操作することで自動的に電源オンとして再生モードに移行する。
【００２５】
マクロキー１４は、静止画の撮影モードで通常撮影とマクロ撮影とを切換える際に操作する。ストロボキー１５は、ストロボ発光部６の発光モードを切換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００２６】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００２７】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられているものとする。
【００２８】
図２はデジタルカメラ１の電子回路構成を示すブロック図である。
【００２９】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ３を通過する光を受光し、その受光量に応じた画像データを取得する。
【００３０】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。
【００３１】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００３２】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００３３】
制御部３２は、ＣＰＵ３２ａと、このＣＰＵ３２ａで実行される動作プログラムを記憶したＲＯＭ３２ｂ、及びワークメモリとして使用されるＲＡＭ３２ｃなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００３４】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００３５】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００３６】
このように、表示部１９にその時点での画像がモニタ画像としてリアルタイムに表示されている状態で、例えば静止画撮影を行いたいタイミングでシャッタキー９を押下操作すると、トリガ信号が発生する。
【００３７】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００３８】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書き込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３９】
そして得た符号データを１画像のデータファイルとして該画像処理部３７から読み出して記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００４０】
制御部３２には、さらに音声処理部３９、ＵＳＢインタフェース（Ｉ／Ｆ）４０、ストロボ駆動部４１、移動検出部４２が接続される。
【００４１】
音声処理部３９は、Ａ／Ｄ変換およびＤ／Ａ変換を含む音声データの入出力処理を行うものであり、動画撮影時には動画データに同期させてマイクロホン部（ＭＩＣ）７より入力されたアナログの音声信号をデジタル化して取り込む。また、再生時には、音声付き動画データから分離された音声データをアナログ化して、デジタルカメラ１の背面側に設けられたスピーカ部（ＳＰ）１３を通じて出力する。
【００４２】
ＵＳＢインタフェース４０は、ＵＳＢコネクタを介して有線接続されるパーソナルコンピュータ等の他の情報端末装置との間で画像データ、その他の送受を行う場合の通信制御を行う。ストロボ駆動部４１は、撮影時に図示せぬストロボ用の大容量コンデンサを充電した上で、制御部３２からの制御に基づいてストロボ発光部６を閃光駆動する。
【００４３】
移動検出部４２は、例えば３軸加速度センサなどからなり、撮影時に装置本体を任意の方向に移動させたときの移動距離を検出する。この移動検出部４２によって検出された移動距離は、後述するフォーカス枠の表示処理に用いられる。
【００４４】
なお、前記キー入力部３６は、上述したシャッタキー９の他に、電源キー８、撮影モードキー１０、再生モードキー１１、マクロキー１４、ストロボキー１５、メニューキー１６、リングキー１７、セットキー１８などから構成され、それらのキー操作に伴う信号は直接制御部３２へ送出される。
【００４５】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）またはｍｏｔｉｏｎ−ＪＰＥＧ（Ｊｏｉｎｔ  Ｐｈｏｔｏｇｒａｐｈｉｃ  Ｅｘｐｅｒｔｓ  Ｇｒｏｕｐ）などの手法により撮影動画をデータ圧縮してメモリ３８へ記録する。再度シャッタキー９が操作されると、動画データの記録を終了する。
【００４６】
一方、基本モードである再生モード時には、制御部３２がメモリ３８に記録されている画像データを選択的に読み出し、画像処理部３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００４７】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００４８】
次に、同実施形態の動作について説明する。
【００４９】
図３は同実施形態におけるデジタルカメラ１の撮影時の処理動作を示すフローチャートである。なお、このフローチャートで示される処理は、マイクロプロセッサである制御部３２（ＣＰＵ３２ａ）がＲＯＭ３２ｂなどに記憶されたプログラムを読み込むことにより実行される。
【００５０】
電源投入後、このデジタルカメラ１に設けられた撮影モードキー１０の操作により静止画の撮影モードを設定すると、被写体の画像がレンズ光学系２２およびＣＣＤ２３を通じて取り込まれ、所定のカラープロセス処理を経た後、スルー画像として表示部１９の画面上に表示される（ステップＡ１１）。
【００５１】
このような状態で、ユーザがシャッタキー９の半押し操作により合焦指示を行うと（ステップＡ１２のＹｅｓ）、制御部３２（ＣＰＵ３２ａ）はＡＦ処理（自動合焦処理）を実行して、画面上の所定の位置（例えば画面の中央部分）にピントを合わせる（ステップＡ１３）。詳しくは、例えばコントラスト検出方式を用いたＡＦ処理であれば、レンズ光学系２２に含まれるフォーカスレンズを光軸方向に移動させながら、前記所定の位置に対応した画像データのコントラスト（高周波成分）を検出し、最もコントラストが大きくなる位置を合焦位置として決定する処理を行う。
【００５２】
前記ＡＦ処理による合焦後、制御部３２は、図４に示すように現在表示されているスルー画像５０の中のピントを合わせた部分に所定サイズのフォーカス枠５１を表示する（ステップＡ１４）。図４の例では、人物の顔部分にフォーカス枠５１が表示されており、ここにピントを合わせていることがわかる。
【００５３】
なお、シャッタキー９を半押し操作したときにフォーカス枠５１を前記所定の位置（例えば画面の中央部分）に表示し、前記ＡＦ処理による合焦後にフォーカス枠５１の表示形態を変更してフォーカスロックしたことをユーザに知らしめるようにしても良い。前記フォーカス枠５１の表示形態を変更するとは、例えば表示色や形状などを変更することである。
【００５４】
続いて、制御部３２は、Ｘ，Ｙ，Ｚ方向の累積移動距離Ｓｘ，Ｓｙ，ＳｚをＲＡＭ３２ｃにセットする（ステップＡ１５）。この場合、初期値として、Ｓｘ＝０，Ｓｙ＝０，Ｓｚ＝０がセットされる。なお、ここでは画面上での平面的な移動距離を求めれば良いので、Ｚ方向の累積移動距離Ｓｚは必ずしも必要ではない。以下では、このＳｚは除いて説明する。
【００５５】
ここで、ユーザが撮影範囲を変更するべく、シャッタキー９を半押した状態（フォーカスロックした状態）で、デジタルカメラ１を任意の方向に移動させたとすると（ステップＡ１６のＹｅｓ）、そのときの移動距離が移動検出部４２によって検出される（ステップＡ１７）。移動検出部４２は、例えば３軸加速度センサからなり、このデジタルカメラ１の装置本体がＸ，Ｙ，Ｚ方向にどのくらい動いたかを検出する。制御部３２は、この移動検出部４２によって検出された各方向の移動距離に基づいて、前記ＲＡＭ３２ｃにセットした累積移動距離Ｓｘ，Ｓｙを更新する（ステップＡ１８）。
【００５６】
具体的に説明すると、今、図６に示すように、撮影レンズ３を被写体に向けた状態でデジタルカメラ１をＸ方向（左右方向）に移動させた場合と、Ｙ方向（上下方向）に移動させた場合を考える。
【００５７】
デジタルカメラ１を被写体に向かって右方向（矢印Ｘ１方向）に移動させた場合には、その移動距離に応じてＸ方向の累積移動距離Ｓｘの値が＋１ずつ更新される。逆に、デジタルカメラ１を被写体に向かって左方向（矢印Ｘ２方向）に移動させた場合には、その移動距離に応じてＸ方向の累積移動距離Ｓｘの値が−１ずつ更新される。デジタルカメラ１をＹ方向に移動させた場合も同様であり、上方向（矢印Ｙ１方向）に移動させた場合には、その移動距離に応じてＹ方向の累積移動距離Ｓｙの値が＋１ずつ更新される。逆に、デジタルカメラ１を下方向（矢印Ｙ２方向）に移動させた場合には、その移動距離に応じてＹ方向の累積移動距離Ｓｙの値が−１ずつ更新される。
【００５８】
ここで、例えば１０ｃｍ単位で＋１更新するものとすれば、デジタルカメラ１をフォーカスロックした後に右方向へ５０ｃｍ、上方向へ３０ｃｍ移動させた場合には、Ｓｘ＝５，Ｓｙ＝３となる。また、左方向へ５０ｃｍ、下方向へ３０ｃｍ移動させた場合には、Ｓｘ＝−５，Ｓｙ＝−３となる。
【００５９】
このようにして、フォーカスロック後の被写体に対するデジタルカメラ１の動きに合わせて累積移動距離Ｓｘ，Ｓｙの値が更新されると、制御部３２は、その更新後の累積移動距離Ｓｘ，Ｓｙの値に基づいてフォーカス枠５１を移動させて表示する（ステップＡ１９）。この場合、Ｓｘ＝５，Ｓｙ＝３であれば、Ｘ方向に−５、Ｙ方向に−３といったように、デジタルカメラ１の移動方向とは逆の方向に同じ移動距離分だけフォーカス枠５１を移動させる。これにより、図５に示すように、デジタルカメラ１の移動に伴い、フォーカス枠５１が常にスルー画像５０上のピントがあった部分（人物の顔部分）に位置決めされて表示されることになる。
【００６０】
また、ユーザがシャッタキー９の押下操作により撮影指示を行うと（ステップＡ２０のＹｅｓ）、制御部３２は所定の撮影処理を実行することにより、現在表示されているスルー画像を静止画として取り込み、所定の方式で圧縮してメモリ３８に記録する（ステップＡ２１）。なお、撮影処理については、図２で詳しく説明してあるため、ここでは省略する。
【００６１】
このように、例えば画面中央などでピントを合わせた後、被写体の構図を変えるためにフォーカスロックした状態でデジタルカメラ１を任意の方向に移動させた場合でも、フォーカス枠５１は常にピントを合わせた部分に表示されるので、ユーザはピントを合わせた部分を見失うことなく、所望のタイミングでシャッターを切ることができる。
【００６２】
（他の実施形態）
次に、本発明の他の実施形態として、ピントの合った部分の画像とその色を表示する場合について説明する。
【００６３】
図７は本発明の他の実施形態に係るデジタルカメラの撮影時の処理動作を示すフローチャートである。なお、このフローチャートで示される処理は、マイクロプロセッサである制御部３２（ＣＰＵ３２ａ）がＲＯＭ３２ｂなどに記憶されたプログラムを読み込むことにより実行される。
【００６４】
電源投入後、このデジタルカメラ１に設けられた撮影モードキー１０の操作により静止画の撮影モードを設定すると、被写体の画像がレンズ光学系２２およびＣＣＤ２３を通じて取り込まれ、所定のカラープロセス処理を経た後、スルー画像として表示部１９の画面上に表示される（ステップＢ１１）。
【００６５】
このような状態で、ユーザがシャッタキー９の半押し操作により合焦指示を行うと（ステップＢ１２のＹｅｓ）、制御部３２（ＣＰＵ３２ａ）はＡＦ処理（自動合焦処理）を実行して、画面上の所定の位置（例えば画面の中央部分）にピントを合わせる（ステップＢ１３）。詳しくは、例えばコントラスト検出方式を用いたＡＦ処理であれば、当該スルー画像の中の前記所定の位置に対応した画像データのコントラスト（高周波成分）を検出し、最もコントラストが大きくなる位置にレンズ光学系２２のフォーカスレンズを移動させるといった処理を行う。
【００６６】
前記ＡＦ処理による合焦後、制御部３２は、図８に示すように現在表示されているスルー画像５０の中のピントを合わせた部分に所定サイズのフォーカス枠５１を表示する（ステップＢ１４）。図８の例では、人物の顔部分にフォーカス枠５１が表示されており、ここにピントを合わせていることがわかる。
【００６７】
なお、シャッタキー９を半押し操作したときにフォーカス枠５１を前記所定の位置（例えば画面の中央部分）に表示し、前記ＡＦ処理による合焦後にフォーカス枠５１の表示形態を変更してフォーカスロックしたことをユーザに知らしめるようにしても良い。前記フォーカス枠５１の表示形態を変更するとは、例えば表示色や形状などを変更することである。
【００６８】
ここで、ユーザが例えばメニューキー１６の操作により合焦画像表示指示を行うと（ステップＢ１５のＹｅｓ）、制御部３２は、現在表示されているスルー画像５０からフォーカス枠５１内の画像をピントが合っている部分の画像（合焦画像と呼ぶ）として抽出する（ステップＢ１６）。そして、制御部３２は、図８に示すようなウインドウ画面５２を画面上の所定の位置に開き、そこに前記抽出した合焦画像５３を表示する（ステップＢ１７）。この例では、人物の顔部分にピントがあっているので、その部分の画像が合焦画像５３として表示されることになる。
【００６９】
なお、合焦画像５３の表示方法としては、その合焦画像５３の全体を表示しても良いし、中心を含む一部だけを表示することでも良い。また、その際に所定サイズに拡大して表示するようにしても良い。
【００７０】
一方、ユーザが例えばメニューキー１６の操作により色表示指示を行うと（ステップＢ１８のＹｅｓ）、制御部３２は、現在表示されているスルー画像５０からフォーカス枠５１内の画像の中心部１ドットの色データをピントが合っている部分の色として抽出する（ステップＢ１６）。そして、制御部３２は、図８に示すようなウインドウ画面５２を画面上の所定の位置に開き、そこに前記検出した色データに基づいて色マーク５４を表示する（ステップＢ１７）。この例では、人物の顔部分にピントがあっているので、その中心部が「肌色」とすると、「肌色」の色マーク５４が表示されることになる。
【００７１】
なお、この色マーク５４の形状やサイズは任意設定であり、例えば矩形や円形などの各種形状からユーザが任意に選ぶことができ、また、そのマークサイズは任意に変更可能であるとする。
【００７２】
また、図８の例では、合焦画像５３と色マーク５４が同じウインドウ画面５２内に表示されているが、これらを別々のウインドウ画面で表示するようにしても良い。
【００７３】
このような合焦画像５３や色マーク５４は、例えばメニューキー１６の操作により表示解除を明示的に指示するか、あるいは、シャッタキー９から指を離してフォーカスロックを解除するまでの間、表示される。
【００７４】
以後の処理は、前記図３のステップＡ１５〜Ａ２１の処理と同様である。すなわち、上述したように、デジタルカメラ１の移動に伴い、フォーカス枠５１も移動させて常にピントの合った位置に表示すると共に、シャッタキー９の押下操作により撮影指示があれば、その時点でのスルー画像を静止画として取り込んで、所定の方式で圧縮してメモリ３８に記録する。
【００７５】
なお、デジタルカメラ１の動きに合わせてフォーカス枠５１が移動した後でも（ステップＡ１９の後）、メニューキー１６などの操作により合焦画像や色の表示指示を行えば、その表示指示に従ってウインドウ画面５２が開いて、前記同様に合焦像５３や色マーク５４が表示される。
【００７６】
このように、ウインドウ画面５２に合焦画像５３や色マーク５４を表示することで、ユーザは被写体のどこにピントを合わせているのかをより正確に把握することができ、デジタルカメラ１を移動させて撮影範囲（構図）を変えたとしても、ピントを合わせている部分を見失うことはなく、誰でも簡単に撮影を行うことができる。
【００７７】
なお、前記実施形態では、ＡＦ機能により予め画面中央部などの所定の位置にピントを合わせるようにしたが、ピントを合わせる位置を画面上でユーザが任意に指定できるようにしても良い。
【００７８】
また、前記実施形態では、デジタルカメラを例にして説明したが、本発明はこれに限らず、例えば静止画撮影可能なデジタルムービカメラや、カメラ付きの携帯電話機など、画面上にスルー画像を表示しながら静止画を撮影可能な機能を備えた電子機器であれば、その全てに適用可能である。
【００７９】
その他、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８０】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【００８１】
【図１】本発明の一実施形態に係る撮像装置としてデジタルカメラを例にした場合の外観構成を示す図であり、図１（ａ）は主に前面の構成、同図（ｂ）は主に背面の構成を示す斜視図。
【図２】同実施形態におけるデジタルカメラの電子回路構成を示すブロック図。
【図３】同実施形態におけるデジタルカメラの撮影時の処理動作を示すフローチャート。
【図４】同実施形態におけるデジタルカメラのスルー画像表示画面の一例を示す図であり、フォーカスロックしたときのフォーカス枠の表示を説明するための図。
【図５】同実施形態におけるデジタルカメラのスルー画像表示画面の一例を示す図であり、フォーカスロックした状態でカメラを移動させた場合のフォーカス枠の表示を説明するための図。
【図６】同実施形態におけるデジタルカメラの移動方向とフォーカス枠の移動方向との関係を説明するための図。
【図７】本発明の他の実施形態に係るデジタルカメラの撮影時の処理動作を示すフローチャート。
【図８】同実施形態におけるデジタルカメラのスルー画像表示画面の一例を示す図であり、ピントを合わせた部分の画像と色の表示を説明するための図。
【符号の説明】
【００８２】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…画像処理部、３８…メモリ、３９…音声処理部、４０…ＵＳＢインタフェース（Ｉ／Ｆ）、４２…移動検出部、５０…スルー画像、５１…フォーカス枠、５２…ウインドウ画面、５３…合焦画像、５４…色マーク。
【図１】
2006094200.tif 000003
【図２】
2006094200.tif 000004
【図３】
2006094200.tif 000005
【図４】
2006094200.tif 000006
【図５】
2006094200.tif 000007
【図６】
2006094200.tif 000008
【図７】
2006094200.tif 000009
【図８】
2006094200.tif 000010